(57)【要約】      （修正有）【課題】ケーブル管理装置を迅速にケーブル管理アームに装着及びケーブル管理アームから取り外し可能なケーブル管理組立品を提供する。【解決手段】ケーブル管理組立品は、ケーブル管理アーム３４及びケーブル管理装置３８を含む。ケーブル管理アームには、装着穴５４、５８及び位置決め穴５６が配置される。装着穴は、第一穴部分６２及び第二穴部分６４を含む。ケーブル管理装置は、ケーブル管理アームに取り外し可能に装着され、装着部分６８、７２及び弾性部分７０を含む。ケーブル管理装置の装着部分は、装着穴の第一穴部分から第二穴部分に入ることができ、装着部分は、第二穴部分に隣接するブロック区分６０によってブロックされる。ケーブル管理装置の弾性部分は、位置決め穴に入り、ケーブル管理アームのアーム部分５０の少なくとも一つのブロック壁によってブロックされる。【選択図】図４
0003200948.tif 000002
【実用新案登録請求の範囲】
【請求項１】
第一装着穴及び位置決め穴が配置された第一のケーブル管理アームであって、前記第一装着穴は第一穴部分及び第二穴部分を有する、ケーブル管理アーム、及び
前記第一のケーブル管理アームに取り外し可能に装着されるケーブル管理装置であって、当該ケーブル管理装置は、基部、第一装着部分及び弾性部分を有し、前記第一装着部分は、前記基部に接続され、第一突出区分及び該第一突出区分に対して実質的に垂直に接続された第二突出区分を有し、前記弾性部分は前記基部上に配置される、ケーブル管理装置、
を有し、
前記ケーブル管理装置の前記第一装着部分の前記第一突出区分は、前記第一のケーブル管理アームの前記第一装着穴の前記第一穴部分から前記第二穴部分に入ることができ、前記第一装着部分の前記第二突出区分は、前記第二穴部分に隣接する第一ブロック区分によってブロックされ、前記ケーブル管理装置の前記弾性部分は、前記位置決め穴に入り、前記第一のケーブル管理アームの少なくとも一つのブロック壁によってブロックされるように構成される、
ケーブル管理組立品。
【請求項２】
前記第一のケーブル管理アームには第二装着穴が更に配置され、前記第二装着穴は第一穴部分及び第二穴部分を有し、前記ケーブル管理装置は第二装着部分を更に有し、前記第二装着部分は、前記基部に接続され、第一突出区分及び該第一突出区分に実質的に垂直に接続された第二突出区分を有し、前記第二装着部分の前記第一突出区分は、前記第二装着穴の前記第一穴部分から前記第二穴部分に入ることができ、前記第二装着部分の前記第二突出区分は第二ブロック区分によってブロックされる、請求項１に記載のケーブル管理組立品。
【請求項３】
前記第一装着穴及び前記第二装着穴は、前記第一のケーブル管理アーム上の二つの対応する位置に配置される、請求項２に記載のケーブル管理組立品。
【請求項４】
前記ケーブル管理装置の前記弾性部分は、第一区分及び該第一区分に対応する第二区分を有し、前記第一区分は前記基部に接続され、掛け留めアームは、前記第一のケーブル管理アームに掛け留めるために前記第一区分上に配置される、請求項１に記載のケーブル管理組立品。
【請求項５】
前記ケーブル管理装置の基部上に空間が規定され、前記弾性部分の前記第二区分は前記空間に対応する、請求項４に記載のケーブル管理組立品。
【請求項６】
第二のケーブル管理アームを更に有し、前記第一のケーブル管理アームの第一端部は、接続部を経由して、前記第二のケーブル管理アームの第一端部に対して回動させられる、請求項１に記載のケーブル管理組立品。
【請求項７】
二つの接続コンポーネントを更に有し、当該二つの接続コンポーネントは、前記第一のケーブル管理アームの第二端部及び前記第二のケーブル管理アームの第二端部にそれぞれ接続される、請求項６に記載のケーブル管理組立品。
【請求項８】
アーム部分を有するケーブル管理アームであって、前記アーム部分には装着穴及び位置決め穴が配置され、前記装着穴は、第一穴部分及び該第一穴部分よりも小さな第二穴部分を有する、ケーブル管理アーム、及び
前記ケーブル管理アームに取り外し可能に装着されるケーブル管理装置であって、当該ケーブル管理装置は、基部、装着部分及び弾性部分を有し、前記装着部分は、前記基部に接続され、第一突出区分及び該第一突出区分に接続された第二突出区分を有し、前記弾性部分は前記基部上に配置される、ケーブル管理装置、
を有し、
前記ケーブル管理装置の前記装着部分の前記第一突出区分が、前記ケーブル管理アームの前記装着穴の前記第一穴部分から前記第二穴部分に入り始めるときに、前記ケーブル管理装置の前記弾性部分は弾性力を蓄積し、前記装着部分の前記第二突出区分が、前記第二穴部分に隣接するブロック区分によってブロックされるときに、前記ケーブル管理装置の前記弾性部分は、前記位置決め穴に入って前記弾性力を解放し、前記弾性部分は、前記ケーブル管理アームの前記アーム部分の少なくとも一つのブロック壁によってブロックされる、
ケーブル管理組立品。
【請求項９】
前記弾性部分が、前記ケーブル管理アームの前記アーム部分の少なくとも一つのブロック壁によってブロックされることを避けるように操作されたときに、前記ケーブル管理装置の前記装着部分の前記第二突出区分は、前記ブロック区分から離れることができる、請求項８に記載のケーブル管理組立品。
【請求項１０】
ケーブル管理組立品であって、被搬送物に適用可能であり、前記被搬送物は、スライドレール組立品を経由してラックの一対のポスト上に配置され、前記スライドレール組立品は、第一レール及び該第一レールに対して長手方向に可動な第二レールを有し、前記被搬送物は、前記第二レール上に装着されるように構成され、当該ケーブル管理組立品は、
前記スライドレール組立品の前記第一レールに接続された第一のケーブル管理アーム、
第二のケーブル管理アームであり、前記第一のケーブル管理アームに対して可動に接続された第一端部、及び前記第二レール及び前記被搬送物のうちの一つに接続された第二端部を有し、前記第一のケーブル管理アーム及び前記第二のケーブル管理アームうちの一つはアーム部分を有し、前記アーム部分には装着穴及び位置決め穴が配置され、前記装着穴は第一穴部分及び第二穴部分を有する、第二のケーブル管理アーム、及び
前記アーム部分に取り外し可能に装着されたケーブル管理装置であり、当該ケーブル管理装置は、基部、装着部分及び弾性部分を有し、前記装着部分は、前記基部に接続され、第一突出区分及び該第一突出区分に実質的に垂直に接続された第二突出区分を有し、前記弾性部分は前記基部上に配置された、ケーブル管理装置、
を有し、
前記ケーブル管理装置の前記装着部分の前記第一突出区分は、前記装着穴の前記第一穴部分から前記第二穴部分に入ることができ、前記装着部分の前記第二突出区分は、前記第二穴部分に隣接するブロック区分によってブロックされ、前記ケーブル管理装置の前記弾性部分は、前記位置決め穴に入り、前記アーム部分の少なくとも一つのブロック壁によってブロックされるように構成される、
ケーブル管理組立品。
【考案の詳細な説明】
【技術分野】
【０００１】
本考案は、ケーブル管理組立品（cable  management  assembly）に関し、より具体的には、ラックシステム内で被搬送物のケーブルをまとめる（organizing）ために利用され得るケーブル管理組立品に関する。
【背景技術】
【０００２】
ラックシステムには、ケーブル管理組立品が通常配置される。例えば、米国特許第７，５５４，８１９Ｂ２号明細書は、ケーブル管理組立品を開示する。そのケーブル管理組立品は、互いに対して可動に接続された二つのケーブル管理アーム（１１，１２）を有し、その二つのケーブル管理アーム（１１，１２）には複数のケーブル保持具（１５）が配置される。ケーブル保持具（１５）は、ラックシステム内の被搬送物（例えば電子機器等）の裏側のケーブルをまとめるために利用されることができる。その事例は、参照のために提供される。
【考案の概要】
【課題を解決するための手段】
【０００３】
本考案は、ケーブル管理組立品に関する。ケーブル管理組立品は、ケーブル管理アーム（cable  management  arm）に迅速に装着され又は取り外される能力がある、ケーブル管理装置（cable  management  device）を有する。
【０００４】
本考案の一つの実施形態によれば、ケーブル管理組立品は、ケーブル管理アーム及びケーブル管理装置を有する。ケーブル管理アームには、第一装着穴（mounting  hole）及び位置決め穴（positioning  hole）が配置される（arranged  with）。第一装着穴は、第一穴部分及び第二穴部分を有する。ケーブル管理装置は、ケーブル管理アームに取り外し可能に装着される。ケーブル管理装置は、基部、第一装着部分及び弾性部分を有する。第一装着部分は、基部に接続され、第一突出区分及び該第一突出区分に対して実質的に垂直に接続された第二突出区分を有する。弾性部分は基部上に配置される。ケーブル管理装置の第一装着部分の第一突出区分は、ケーブル管理アームの第一装着穴の第一穴部分から第二穴部分に入ることができ、第一装着部分の第二突出区分は、第二穴部分に隣接するブロック区分（blocking  section）によってブロックされる。ケーブル管理装置の弾性部分は、位置決め穴に入り、ケーブル管理アームの少なくとも一つのブロック壁（blocking  wall）によってブロックされるように構成される。
【０００５】
本考案の他の実施形態によれば、ケーブル管理組立品は、ケーブル管理アーム及びケーブル管理装置を有する。ケーブル管理アームはアーム部分を有し、アーム部分には第一装着穴及び位置決め穴が配置される。第一装着穴は、第一穴部分及び第一穴部分よりも小さな第二穴部分を有する。ケーブル管理装置は、ケーブル管理アームに取り外し可能に装着される。ケーブル管理装置は、基部、第一装着部分及び弾性部分を有する。第一装着部分は、基部に接続され、第一突出区分及び第一突出区分に接続された第二突出区分を有する。弾性部分は基部上に配置される。ここで、ケーブル管理装置の第一装着部分の第一突出区分が、ケーブル管理アームの第一装着穴の第一穴部分から第二穴部分に入り始めるときに、ケーブル管理装置の弾性部分は弾性力を蓄積し、第一装着部分の第二突出区分が、第二穴部分に隣接するブロック区分によってブロックされるときに、ケーブル管理装置の弾性部分は、位置決め穴に入って弾性力を解放し、弾性部分は、ケーブル管理アームのアーム部分の少なくとも一つのブロック壁によってブロックされる。加えて、弾性部分が、ケーブル管理アームのアーム部分の少なくとも一つのブロック壁によってブロックされることを避けるように操作されたときに、ケーブル管理装置の第一装着部分の第二突出区分は、ブロック区分から離れることができる。
【０００６】
本考案の他の実施形態によれば、ケーブル管理組立品は、被搬送物に適用可能であり、被搬送物は、スライドレール組立品を経由してラックの一対のポスト上に配置される。スライドレール組立品は、第一レール及び第一レールに対して長手方向に可動な第二レールを有する。被搬送物は、第二レール上に装着されるように構成される。ケーブル管理組立品は、第一のケーブル管理アーム、第二のケーブル管理アーム及びケーブル管理装置を有する。第一のケーブル管理アームは、接続コンポーネントを経由してスライドレール組立品の第一レールに接続される。第二のケーブル管理アームの第一端部は、（例えば、接続部を経由して、第一のケーブル管理アームに対して回動させられるように）第一のケーブル管理アームに対して可動に接続され、第二のケーブル管理アームの第二端部は、他の接続コンポーネントを経由して、第二レール及び被搬送物のうちの一つに接続される。第一のケーブル管理アーム及び第二のケーブル管理アームうちの一つはアーム部分を有する。アーム部分には第一装着穴及び位置決め穴が配置され、第一装着穴は第一穴部分及び第一穴部分より小さな第二穴部分を有する。ケーブル管理装置は、アーム部分に取り外し可能に装着される。ケーブル管理装置は、基部、第一装着部分及び弾性部分を有する。第一装着部分は、基部に接続され、第一突出区分及び第一突出区分に実質的に垂直に接続された第二突出区分を有する。弾性部分は基部上に配置される。ケーブル管理装置の第一装着部分の第一突出区分は、第一装着穴の第一穴部分から第二穴部分に入ることができ、第一装着部分の第二突出区分は、第二穴部分に隣接するブロック区分によってブロックされる。ケーブル管理装置の弾性部分は、位置決め穴に入り、アーム部分の少なくとも一つのブロック壁によってブロックされるように構成される。
【０００７】
本考案の上記の実施形態のうちの一つによれば、ケーブル管理アームは、第二装着穴を更に有する。第一装着穴及び第二装着穴は、ケーブル管理アーム上の二つの対応する位置に配置され、第二装着穴は第一穴部分及び第二穴部分を有する。ケーブル管理装置は第二装着部分を更に有する。第二装着部分は、基部に接続され、第一突出区分及び第一突出区分に実質的に垂直に接続された第二突出区分を有する。第二装着部分の第一突出区分は、第二装着穴の第一穴部分から第二穴部分に入ることができ、第二装着部分の第二突出区分は第二ブロック区分によってブロックされる。
【０００８】
本考案の上記の実施形態のうちの一つによれば、ケーブル管理装置の弾性部分は、第一区分及び第一区分に対応する第二区分を有する。第一区分は基部に接続され、掛け留めアームは、第一のケーブル管理アームに掛け留めるために第一区分上に配置される。弾性部分の第二区分は、ケーブル管理装置の基部上に規定された空間に対応する。
【０００９】
本考案の一つの特徴は、ケーブル管理装置が迅速にケーブル管理アームに装着及びケーブル管理アームから取り外しが可能であることである。
【００１０】
本考案のこれらの及び他の対象は、以下の、様々な図表及び図面に示される好ましい実施形態の詳細な説明を読んだ後に、疑いなく、当業者にとって明白になるであろう。
【図面の簡単な説明】
【００１１】
【図１】本考案の一つの実施形態による、被搬送物のためのラックシステムに適用されたケーブル管理組立品を示す図である。
【００１２】
【図２】スライドレール組立品のレールに対応して接続された図１のケーブル管理組立品を示す図である。
【００１３】
【図３】本考案の一つの実施形態によるケーブル管理組立品の分解図である。
【００１４】
【図４】本考案の一つの実施形態による、ケーブル管理アームから取り外された、ケーブル管理組立品のケーブル管理装置を示す図である。
【００１５】
【図５】本考案の一つの実施形態による、ケーブル管理アームに装着している間の、ケーブル管理組立品のケーブル管理装置を示す図である。
【００１６】
【図６】本考案の一つの実施形態による、ケーブル管理アームに装着した後の、ケーブル管理組立品のケーブル管理装置を示す図である。
【００１７】
【図７】本考案の一つの実施形態による、ケーブル管理組立品のケーブル管理アームと組み合された、ケーブル管理装置を示す図であり、ケーブル管理装置の装着部分が装着穴の第二穴部分に入る場合にブロック区分によってブロックされる装着部分を示す。
【００１８】
【図８】本考案の一つの実施形態による、ケーブル管理組立品のケーブル管理装置の弾性部分を操作することによる、ケーブル管理アームからのケーブル管理装置の取り外しの操作を示す図である。
【考案を実施するための形態】
【００１９】
図１は、本考案の一つの実施形態による、ラックシステムに適用されたケーブル管理組立品２０を示す。ラックシステムは被搬送物２２を有し、被搬送物２２の両方の側面は、一対のスライドレール組立品２４を経由してラック２６の二対のポスト上に配置されてもよい。具体的には、被搬送物２２は電子機器であってもよく、被搬送物２２の各側面は、スライドレール組立品２４を経由してラック２６の一対のポスト２８ａ，２８ｂ上に配置されてもよい。一方で、ケーブル管理組立品２０が、被搬送物２２の裏側のケーブル（図示なし）をまとめるために使用されてもよい。上記の配置は当業者によく知られているため、更なる説明は提供されない。
【００２０】
図２に示されるように、スライドレール組立品２４は、第一レール３０及び第一レール３０に対して長手方向に可動な第二レール３２を有する。被搬送物２２は、第二レール３２上に装着されるように構成される。ケーブル管理組立品２０は、第一のケーブル管理アーム３４、第二のケーブル管理アーム３６及び複数のケーブル管理装置３８を有する。第一のケーブル管理アーム３４及び第二のケーブル管理アーム３６は、それぞれ、第一接続コンポーネント４０を経由して、スライドレール組立品の第一レール３０及び第二レール３２の第二接続コンポーネント４２に接続されてもよい。本考案の他の実施形態において、第二のケーブル管理アーム３６はまた、第一接続コンポーネント４０を経由して被搬送物２２の一部に対応して接続されてもよいが、本考案はそれに限定されない。ケーブル管理装置３８は、第一のケーブル管理アーム３４及び第二のケーブル管理アーム３６上に配置されてもよい。
【００２１】
図３に示されるように、第一のケーブル管理アーム３４は、第一端部４４ａ及び第一端部４４ａに対応する第二端部４４ｂを有する。第二のケーブル管理アーム３６は、第一端部４６ａ及び第一端部４６ａに対応する第二端部４６ｂを有する。ここで、第一のケーブル管理アーム３４の第一端部４４ａは、第二のケーブル管理アーム３６の第一端部４６ａに可動に接続する。例えば、第一のケーブル管理アーム３４の第一端部４４ａ及び第二のケーブル管理アーム３６の第一端部４６ａは、接続部４８を経由して一緒に設けられてもよい。他方で、前述の二つの第一接続コンポーネント４０は、第一のケーブル管理アーム３４の第二端部４４ｂ及び第二のケーブル管理アーム３６の第二端部４６ｂに、それぞれ可動に接続されてもよい。
【００２２】
図４に示されるように、第一のケーブル管理アーム３４（又は第二のケーブル管理アーム３６）は、アーム部分５０を有してもよく、好ましくはアーム部分５０の二つの側にそれぞれ接続される上方壁５２ａ及び下方壁５２ｂを更に有してもよい。前述の第一のケーブル管理アーム３４は、アーム部分５０、上方壁５２ａ及び下方壁５２ｂを有する一つの実施例であるが、本考案はそれに限定されない。第一のケーブル管理アーム３４のアーム部分５０には、第一装着穴５４及び位置決め穴５６が配置され、好ましくは第二装着穴５８が更に配置される。第一装着穴５４及び第二装着穴５８は、第一のケーブル管理アーム３４の上方壁５２ａ及び下方壁５２ｂに隣接するアーム部分５０上の二つの対応する位置にそれぞれ配置され、位置決め穴５６は、第一装着穴５４及び第二装着穴５８に隣接する側面に配置される。ここで、ブロック区分６０は、第一装着穴５４及び第二装着穴５８の近傍に配置されてもよい。ブロック区分６０はアーム部分５０の一部であってもよく、又はブロック区分６０はアーム部分５０上に配置されたコンポーネントであってもよいが、本考案はそれに限定されない。その上に、第一装着穴５４及び第二装着穴５８のそれぞれは、第一穴部分６２及び第二穴部分６４を有してもよい。第二穴部分６４は、第一穴部分６２よりも小さく（又は狭く）、第一穴部分６２と連通している。ブロック区分６０は、第二穴部分６４の近傍に配置されてもよい。
【００２３】
ケーブル管理装置３８は、第一のケーブル管理アーム３４に取り外し可能に装着されてもよい。ケーブル管理装置３８は、基部６６、第一装着部分６８及び弾性部分７０を有し、好ましくは第二装着部分７２を更に有する。第一装着部分６８及び第二装着部分７２は、第一のケーブル管理アーム３４のアーム部分５０の第一装着穴５４及び第二装着穴５８にそれぞれ対応する。他方で、弾性部分７０は、アーム部分５０の位置決め穴５６に対応する。具体的には、第一装着部分６８及び第二装着部分７２は、基部６６に接続され、第一装着部分６８及び第二装着部分７２のそれぞれは、第一突出区分７４及び第一突出区分７４に対して実質的に垂直に接続された第二突出区分７６を有してもよい。弾性部分７０は基部６６上に配置される。好ましくは、弾性部分７０は、柔軟な材料で作られてもよく、第一区分７８ａ及び第一区分７８ａに対応する第二区分７８ｂを有してもよい。第一区分７８ａは基部６６に接続され、掛け留めアーム８０は第一区分７８ａに隣接して配置される。加えて、ケーブル管理装置３８の基部６６上に空間８２（又は切り込み）が規定され、弾性部分７０の第二区分７８ｂは空間８２に対応する。
【００２４】
図４及び図５に示されるように、装着作業の間、ケーブル管理装置３８の第一装着部分６８及び第二装着部分７２は、第一のケーブル管理アーム３４のアーム部分５０の第一装着穴５４及び第二装着穴５８に対してそれぞれ一直線に並べられてもよい。そのため、第一装着部分６８及び第二装着部分７２の第一突出区分７４が、第一装着穴５４及び第二装着穴５８にそれぞれ入ることができる。他方で、ケーブル管理装置３８の弾性部分７０の第一区分７８ａ及び掛け留めアーム８０は、アーム部分５０の位置決め穴５６に入ることができる。第一区分７８ａ及び掛け留めアーム８０がアーム部分５０の位置決め穴５６に入るときに、ケーブル管理装置３８の弾性部分７０の第二区分７８ｂはアーム部分５０によって押され、第二区分７８ｂは一時的にケーブル管理装置３８の基部６６の空間８２に入る。そのため、弾性部分７０は弾性力を蓄積することができる。
【００２５】
図５及び図６を参照されたい。ケーブル管理装置３８は、第一の方向Ｄ１に向かって更に動かされることができる。この作業の間、第一装着部分６８及び第二装着部分７２の第一突出区分７４は、第一装着穴５４及び第二装着穴５８の第一穴部分６２から第二穴部分６４にそれぞれ入る。図７もまた参照されたい。第一装着部分６８及び第二装着部分７２の第二突出区分７６は、対応するブロック区分６０によってブロックされる。他方では、ケーブル管理装置３８の弾性部分７０、例えば弾性部分７０の第二区分７８ｂは、蓄積された弾性力を解放し、アーム部分５０の位置決め穴５６に入る。また、弾性部分７０は、第一のケーブル管理アーム３４のアーム部分５０の少なくとも一つのブロック壁によってブロックされる。例えば、弾性部分７０の第一区分７８ａ及び第二区分７８ｂは、アーム部分５０の第一ブロック壁８４ａ及び第二ブロック壁８４ｂによって、それぞれブロックされてもよい。加えて、弾性部分７０の第一区分７８ａ上に配置された掛け留めアーム８０は、ケーブル管理装置３８のケーブル管理アームへの装着の信頼性を強化するために、第一のケーブル管理アーム３４のアーム部分５０に掛かってもよい。より具体的には、第一装着穴５４及び第二装着穴５８が、第一のケーブル管理アーム３４（又は第二のケーブル管理アーム３６）のアーム部分５０の二つの対応する位置に配置されているので、第一装着部分６８及び第二装着部分７２が第一装着穴５４及び第二装着穴５８にそれぞれ装着されるときに、ケーブル管理装置３８のケーブル管理アームへの装着の安定性は、更に強化される。
【００２６】
図８に示されるように、ケーブル管理装置３８を第一のケーブル管理アーム３４（又は第二のケーブル管理アーム３６）から取り外すときに、弾性部分７０が、第一のケーブル管理アーム３４のアーム部分５０の第二ブロック壁８４ｂによってブロックされることを避けるように操作されてもよい（例えば、弾性部分７０の第二区分７８ｂの一部を押すこと）。したがって、ケーブル管理装置３８は、第一の方向Ｄ１とは反対向きの第二の方向Ｄ２に向かって動かされることができる。そのため、ケーブル管理装置３８の第一装着部分６８及び第二装着部分７２の第二突出区分７６は、ブロック区分６０から離れて、第二の方向Ｄ２に向かって動き、第二穴部分６４を出ることができる。このようにして、第一装着部分６８及び第二装着部分７２は、第一装着穴５４及び第二装着穴５８から取り外されることができる。したがって、ケーブル管理装置３８は、迅速にケーブル管理アームに装着され又はケーブル管理アームから取り外され、操作者の据え付け効率を高めることができる。
【００２７】
当業者は、本考案の教示を保ちながら、本考案に係る装置及び方法の多数の変更及び代替が創作され得ることを容易に観察するであろう。よって、以上の開示は、添付の特許請求の範囲の境界線によってのみ限定されるものとして解釈されるべきである。
【図１】
0003200948.tif 000003
【図２】
0003200948.tif 000004
【図３】
0003200948.tif 000005
【図４】
0003200948.tif 000006
【図５】
0003200948.tif 000007
【図６】
0003200948.tif 000008
【図７】
0003200948.tif 000009
【図８】
0003200948.tif 000010